(57)【要約】【課題】４方向ボタンを利用して画像枠を簡単に操作することができる。【解決手段】クロップ印刷処理ルーチンが開始されると、まず、画像２６を切り取るためのクロップ枠２８が画像２６に重畳的に表示されるようディスプレイ２２を制御する。続いて、上下左右の矢印ボタンが押下されたときには、これらの矢印ボタンの押下パターンに基づいてクロップ枠２８を移動したりクロップ枠２８の大きさを変更したりする。具体的には、上下左右の矢印ボタンが１つだけ押下されたときには、そのボタンの矢印の方向に沿ってクロップ枠２８を移動する。一方、上下左右の矢印ボタンのうち２つが同時に押下されたときには、クロップ枠２８の大きさが拡大するように表示する。例えば、上矢印ボタンと下矢印ボタンとが同時に押下されたときには、クロップ枠２８の横の長さはそのままで縦の長さが上下両側に広がるようにディスプレイ２２を制御する。【選択図】図４
2008131502.tif 000002
【特許請求の範囲】
【請求項１】
表示手段と、
上下左右の４つの方向にそれぞれ対応して設けられた４方向ボタンと、
前記表示手段に画像とその画像の一部又は全部を囲むことが可能な画像枠とが表示されている状態で、ユーザが前記４方向ボタンのいずれかを１つ選択したときには、該選択されたボタンに対応した方向に前記画像枠が移動するよう前記表示手段を制御し、ユーザが前記４方向ボタンを２つ又はそれ以上同時に選択したときには、該同時に選択されたボタンの組み合わせに基づいて前記画像枠の大きさ又は向きが変わるよう前記表示手段を制御する制御手段と、
を備えた画像処理装置。
【請求項２】
前記制御手段は、前記表示手段に前記画像と前記画像枠とが表示されている状態で、ユーザが前記４方向ボタンの上方向ボタンと下方向ボタンとを同時に選択したときには、前記画像枠の横の長さはそのままで縦の長さが上下両側に広がるか狭まるよう前記表示手段を制御し、ユーザが前記４方向ボタンの左方向ボタンと右方向ボタンとを同時に選択したときには、前記画像枠の縦の長さはそのままで横の長さが左右両側に広がるか狭まるよう前記表示手段を制御する、
請求項１に記載の画像処理装置。
【請求項３】
前記制御手段は、前記表示手段に前記画像と前記画像枠とが表示されている状態で、ユーザが前記４方向ボタンの右方向ボタンと上方向ボタンとを同時に選択したときには、前記画像枠の左下隅及び右上隅のいずれか一方を固定し縦横比を保ったままもう一方の隅が右上方向に移動して前記画像枠が拡大又は縮小するよう前記表示手段を制御し、ユーザが前記４方向ボタンの右方向ボタンと下方向ボタンとを同時に選択したときには、前記画像枠の左上隅及び右下隅のいずれか一方を固定し縦横比を保ったままもう一方の隅が右下方向に移動して前記画像枠が拡大又は縮小するよう前記表示手段を制御し、ユーザが前記４方向ボタンの左方向ボタンと上方向ボタンとを同時に選択したときには、前記画像枠の右下隅及び左上隅のいずれか一方を固定し縦横比を保ったままもう一方の隅が左上方向に移動して前記画像枠が拡大又は縮小するよう前記表示手段を制御し、ユーザが前記４方向ボタンの左方向ボタンと下方向ボタンとを同時に選択したときには、前記画像枠の右上隅及び左下隅のいずれか一方を固定し縦横比を保ったままもう一方の隅が左下方向に移動して前記画像枠が拡大又は縮小するよう前記表示手段を制御する、
請求項１又は２に記載の画像処理装置。
【請求項４】
前記制御手段は、前記表示手段に前記画像と前記画像枠とが表示されている状態で、ユーザが前記４方向ボタンの右方向ボタンと上方向ボタンとを同時に選択したときには、前記画像枠の左下隅を固定し縦横比を保ったまま右上隅が右上方向に移動して前記画像枠が拡大又は縮小するよう前記表示手段を制御し、ユーザが前記４方向ボタンの右方向ボタンと下方向ボタンとを同時に選択したときには、前記画像枠の左上隅を固定し縦横比を保ったまま右下隅が右下方向に移動して前記画像枠が拡大又は縮小するよう前記表示手段を制御し、ユーザが前記４方向ボタンの左方向ボタンと上方向ボタンとを同時に選択したときには、前記画像枠の右下隅を固定し縦横比を保ったまま左上隅が左上方向に移動して前記画像枠が拡大又は縮小するよう前記表示手段を制御し、ユーザが前記４方向ボタンの左方向ボタンと下方向ボタンとを同時に選択したときには、前記画像枠の右上隅を固定し縦横比を保ったまま左下隅が左下方向に移動して前記画像枠が拡大又は縮小するよう前記表示手段を制御する、
請求項１又は２に記載の画像処理装置。
【請求項５】
請求項１〜４のいずれかに記載の画像処理装置であって、
印刷媒体に印刷する印刷機構と、
ユーザが印刷を指示するときに選択される印刷指示ボタンと、
を備え、
前記制御手段は、前記表示手段に表示されている画像のうち前記画像枠で囲まれた画像を切り取ってクロップ画像とし該クロップ画像が所定サイズの印刷媒体に配置された状態が表示されるよう前記表示手段を制御し、その後ユーザが前記印刷指示ボタンを選択したときに前記表示手段に表示されたクロップ画像が前記印刷媒体に印刷されるよう前記印刷機構を制御する、
画像処理装置。
【請求項６】
請求項５に記載の画像処理装置であって、
ユーザが前記クロップ画像の操作を指示可能なクロップ画像操作入力手段
を備え、
前記制御手段は、前記クロップ画像が所定サイズの印刷媒体に配置された状態が前記表示手段に表示されているときに、ユーザが前記クロップ画像操作入力手段を介して前記クロップ画像の操作を指示したときには、該操作を反映したクロップ画像が前記印刷媒体の上に配置された状態が表示されるよう前記表示手段を制御する、
画像処理装置。
【請求項７】
前記制御手段は、前記表示手段に前記クロップ画像が表示されている状態で、ユーザが前記４方向ボタンのいずれかを１つ選択したときには、該選択されたボタンに対応した方向に前記クロップ画像が移動するよう前記表示手段を制御し、ユーザが前記４方向ボタンを２つ又はそれ以上同時に選択したときには、該同時に選択されたボタンの組み合わせに基づいて前記クロップ画像の大きさ又は向きが変わるよう前記表示手段を制御する、
請求項５に記載の画像処理装置。
【請求項８】
前記制御手段は、前記表示手段に前記クロップ画像が表示されている状態で、ユーザが前記４方向ボタンの上方向ボタンと下方向ボタンとを同時に選択したときには、前記クロップ画像の横の長さはそのままで縦の長さが上下両側に広がるよう前記表示手段を制御し、ユーザが前記４方向ボタンの左方向ボタンと右方向ボタンとを同時に選択したときには、前記クロップ画像の縦の長さはそのままで横の長さが左右両側に広がるよう前記表示手段を制御する、
請求項７に記載の画像処理装置。
【請求項９】
前記制御手段は、前記表示手段に前記クロップ画像が表示されている状態で、ユーザが前記４方向ボタンの右方向ボタンと上方向ボタンとを同時に選択したときには、前記クロップ画像の左下隅及び右上隅のいずれか一方を固定し縦横比を保ったままもう一方の隅が右上方向に移動して前記クロップ画像が拡大又は縮小するよう前記表示手段を制御し、ユーザが前記４方向ボタンの右方向ボタンと下方向ボタンとを同時に選択したときには、前記クロップ画像の左上隅及び右下隅のいずれか一方を固定し縦横比を保ったままもう一方の隅が右下方向に移動して前記クロップ画像が拡大又は縮小するよう前記表示手段を制御し、ユーザが前記４方向ボタンの左方向ボタンと上方向ボタンとを同時に選択したときには、前記クロップ画像の右下隅及び左上隅のいずれか一方を固定し縦横比を保ったままもう一方の隅が左上方向に移動して前記クロップ画像が拡大又は縮小するよう前記表示手段を制御し、ユーザが前記４方向ボタンの左方向ボタンと下方向ボタンとを同時に選択したときには、前記クロップ画像の右上隅及び左下隅のいずれか一方を固定し縦横比を保ったままもう一方の隅が左下方向に移動して前記クロップ画像が拡大又は縮小するよう前記表示手段を制御する、
請求項７又は８に記載の画像処理装置。
【請求項１０】
前記制御手段は、前記表示手段に前記クロップ画像が表示されている状態で、ユーザが前記４方向ボタンの右方向ボタンと上方向ボタンとを同時に選択したときには、前記クロップ画像の左下隅を固定し縦横比を保ったまま右上隅が右上方向に移動して前記クロップ画像が拡大又は縮小するよう前記表示手段を制御し、ユーザが前記４方向ボタンの右方向ボタンと下方向ボタンとを同時に選択したときには、前記クロップ画像の左上隅を固定し縦横比を保ったまま右下隅が右下方向に移動して前記クロップ画像が拡大又は縮小するよう前記表示手段を制御し、ユーザが前記４方向ボタンの左方向ボタンと上方向ボタンとを同時に選択したときには、前記クロップ画像の右下隅を固定し縦横比を保ったまま左上隅が左上方向に移動して前記クロップ画像が拡大又は縮小するよう前記表示手段を制御し、ユーザが前記４方向ボタンの左方向ボタンと下方向ボタンとを同時に選択したときには、前記クロップ画像の右上隅を固定し縦横比を保ったまま左下隅が左下方向に移動して前記クロップ画像が拡大又は縮小するよう前記表示手段を制御する、
請求項７又は８に記載の画像処理装置。
【請求項１１】
表示手段と、上下左右の４つの方向にそれぞれ対応して設けられた４方向ボタンと、を備えた画像処理装置を、コンピュータ・ソフトウェアにより制御する方法であって、
（ａ）前記表示手段に画像とその画像の一部又は全部を囲むことが可能な画像枠とが表示されている状態で、ユーザが前記４方向ボタンのいずれかを１つ選択したときには、該選択されたボタンに対応した方向に前記画像枠が移動するよう前記表示手段を制御するステップと、
（ｂ）前記表示手段に画像とその画像の一部又は全部を囲むことが可能な画像枠とが表示されている状態で、ユーザが前記４方向ボタンを２つ又はそれ以上同時に選択したときには、該同時に選択されたボタンの組み合わせに基づいて前記画像枠の大きさ又は向きが変わるよう前記表示手段を制御するステップと、
を含む画像処理装置の制御方法。
【請求項１２】
請求項１１に記載の画像処理装置の制御方法の各ステップを１又は複数のコンピュータにより実行するためのプログラム。
【発明の詳細な説明】
【技術分野】
【０００１】
本発明は、画像処理装置、その制御方法及びそのプログラムに関する。
【背景技術】
【０００２】
従来より、ディスプレイに画像とその画像を囲むことが可能な画像枠とを表示し、マウスなどを使って画像枠を移動したり拡大したり縮小したりすることが行われている。一方、プリンタのようにディスプレイは備えているがマウスが備えつけられていない装置では、例えば特許文献１に開示されているように、タッチパネルによる画面の拡大・縮小指示に基づいて画面の拡大・縮小を行うものが知られている。
【特許文献１】特開２０００−２０６９５６号公報
【発明の開示】
【発明が解決しようとする課題】
【０００３】
ところで、ディスプレイの操作ボタンとしては、上下左右の４つの方向にそれぞれ対応して設けられた４方向ボタンが知られている。４方向ボタンは、ディスプレイに表示されたカーソルなどの操作対象を上方向に移動したいときには上方向ボタンを押せばよいため、ユーザにとって直感的に操作しやすいという利点がある。しかしながら、操作対象を上下左右方向へ移動する以外の機能を４方向ボタンに割り当てることは、これまであまり検討されていなかった。
【０００４】
本発明は、このような課題を解決するためになされたものであり、４方向ボタンを利用して画像枠を簡単に操作することができる画像処理装置、その制御方法及びそのプログラムを提供することを目的とする。
【課題を解決するための手段】
【０００５】
本発明は、上述の目的を達成するために以下の手段を採った。
【０００６】
本発明の画像処理装置は、
表示手段と、
上下左右の４つの方向にそれぞれ対応して設けられた４方向ボタンと、
前記表示手段に画像とその画像の一部又は全部を囲むことが可能な画像枠とが表示されている状態で、ユーザが前記４方向ボタンのいずれかを１つ選択したときには、該選択されたボタンに対応した方向に前記画像枠が移動するよう前記表示手段を制御し、ユーザが前記４方向ボタンを２つ又はそれ以上同時に選択したときには、該同時に選択されたボタンの組み合わせに基づいて前記画像枠の大きさ又は向きが変わるよう前記表示手段を制御する制御手段と、
を備えたものである。
【０００７】
この画像処理装置では、表示手段に画像と画像枠とが表示されている状態で、ユーザが４方向ボタンのいずれかを１つ選択したときには、該選択されたボタンに対応した方向に画像枠が移動し、ユーザが４方向ボタンを２つ又はそれ以上同時に選択したときには、該同時に選択されたボタンの組み合わせに基づいて画像枠の大きさ又は向きが変わる。このように、画像枠の大きさ又は向きを変更する場合には４方向ボタンを２つ又はそれ以上同時に選択すればよいため、４方向ボタンを利用して画像枠を簡単に操作することができる。
【０００８】
ここで、画像枠の大きさを変更するとは、例えば、縦横比を保ったまま拡大・縮小したり、縦のみを伸縮したり、横のみを伸縮したりすることなどが挙げられる。また、画像枠の向きを変更するとは、例えば、画像枠を回転することなどが挙げられる。なお、４方向ボタンは４つの独立したボタンからなるが、従来は同時押しを防止する技術が提案されている（例えば特開２００１−３０６２２５号公報）。つまり、４方向ボタンを同時押しすることについては、従来、これを否定する技術が知られていたのである。
【０００９】
本発明の画像処理装置において、前記制御手段は、前記表示手段に前記画像と前記画像枠とが表示されている状態で、ユーザが前記４方向ボタンの上方向ボタンと下方向ボタンとを同時に選択したときには、前記画像枠の横の長さはそのままで縦の長さが上下両側に広がるか狭まるよう前記表示手段を制御し、ユーザが前記４方向ボタンの左方向ボタンと右方向ボタンとを同時に選択したときには、前記画像枠の縦の長さはそのままで横の長さが左右両側に広がるか狭まるよう前記表示手段を制御するとしてもよい。こうすれば、画像枠を上下に操作したいときには上方向ボタンと下方向ボタンとを同時に選択し、画像枠を左右に操作したいときには左方向ボタンと右方向ボタンとを同時に選択すればよいため、ユーザにとって直感的に操作することができる。
【００１０】
なお、上方向と下方向のボタンを同時に選択すると画像枠が上下に広げるとした場合、最大サイズに達したあとなおも上方向ボタンと下方向ボタンとが同時に選択されたときには、いったん元のサイズか最小サイズに変更し、その後再び上下に広げていってもよい。また、上方向と下方向のボタンを同時に選択すると画像枠が上下に狭まるとした場合、最小サイズに達したあとなおも上方向ボタンと下方向ボタンとが同時に選択されたときには、いったん元のサイズか最大サイズに変更し、その後再び上下に狭めていってもよい。この点は、左右方向についても同様である。
【００１１】
本発明の画像処理装置において、前記制御手段は、前記表示手段に前記画像と前記画像枠とが表示されている状態で、ユーザが前記４方向ボタンの右方向ボタンと上方向ボタンとを同時に選択したときには、前記画像枠の左下隅及び右上隅のいずれか一方を固定し縦横比を保ったままもう一方の隅が右上方向に移動して前記画像枠が拡大又は縮小するよう前記表示手段を制御し、ユーザが前記４方向ボタンの右方向ボタンと下方向ボタンとを同時に選択したときには、前記画像枠の左上隅及び右下隅のいずれか一方を固定し縦横比を保ったままもう一方の隅が右下方向に移動して前記画像枠が拡大又は縮小するよう前記表示手段を制御し、ユーザが前記４方向ボタンの左方向ボタンと上方向ボタンとを同時に選択したときには、前記画像枠の右下隅及び左上隅のいずれか一方を固定し縦横比を保ったままもう一方の隅が左上方向に移動して前記画像枠が拡大又は縮小するよう前記表示手段を制御し、ユーザが前記４方向ボタンの左方向ボタンと下方向ボタンとを同時に選択したときには、前記画像枠の右上隅及び左下隅のいずれか一方を固定し縦横比を保ったままもう一方の隅が左下方向に移動して前記画像枠が拡大又は縮小するよう前記表示手段を制御するとしてもよい。こうすれば、例えば右方向と上方向のボタンを同時に選択すると画像枠の右上隅を摘んで右上方向に移動して拡大したり左下隅を摘んで右上方向に移動して縮小することが可能になるというように、４方向ボタンのうち同時に選択された２つのボタンが対応づけられている方向によってどの隅を摘んで拡大又は縮小するかが決まる。このため、ユーザは画像枠のどの隅を摘んで操作するかを直感的に理解することができる。
【００１２】
本発明の画像処理装置において、前記制御手段は、前記表示手段に前記画像と前記画像枠とが表示されている状態で、ユーザが前記４方向ボタンの右方向ボタンと上方向ボタンとを同時に選択したときには、前記画像枠の左下隅を固定し縦横比を保ったまま右上隅が右上方向に移動して前記画像枠が拡大又は縮小するよう前記表示手段を制御し、ユーザが前記４方向ボタンの右方向ボタンと下方向ボタンとを同時に選択したときには、前記画像枠の左上隅を固定し縦横比を保ったまま右下隅が右下方向に移動して前記画像枠が拡大又は縮小するよう前記表示手段を制御し、ユーザが前記４方向ボタンの左方向ボタンと上方向ボタンとを同時に選択したときには、前記画像枠の右下隅を固定し縦横比を保ったまま左上隅が左上方向に移動して前記画像枠が拡大又は縮小するよう前記表示手段を制御し、ユーザが前記４方向ボタンの左方向ボタンと下方向ボタンとを同時に選択したときには、前記画像枠の右上隅を固定し縦横比を保ったまま左下隅が左下方向に移動して前記画像枠が拡大又は縮小するよう前記表示手段を制御するとしてもよい。こうすれば、例えば右方向と上方向のボタンを同時に選択すると画像枠の右上隅を摘んで拡大又は縮小することが可能になるというように、４方向ボタンのうち同時に選択された２つのボタンが対応づけられている方向によってどの隅を摘んで拡大又は縮小するかが決まる。このため、ユーザは画像枠のどの隅を摘んで操作するかを直感的に理解することができる。
【００１３】
なお、右方向と上方向のボタンを同時に選択すると画像枠の右上隅を摘んで拡大するとした場合、最大サイズに達したあとなおも右方向と上方向のボタンが同時に選択されたときには、いったん元のサイズか最小サイズに変更し、その後再び右上隅を摘んで拡大していってもよい。また、右方向と上方向のボタンを同時に選択すると画像枠の右上隅を摘んで縮小するとした場合、最小サイズに達したあとなおも右方向と上方向のボタンが同時に選択されたときには、いったん元のサイズか最大サイズに変更し、その後再び右上隅を摘んで縮小していってもよい。この点は、他のボタンを同時に選択した場合についても同様である。
【００１４】
本発明の画像処理装置は、印刷媒体に印刷する印刷機構と、ユーザが印刷を指示するときに選択される印刷指示ボタンと、を備え、前記制御手段は、前記表示手段に表示されている画像のうち前記画像枠で囲まれた画像を切り取ってクロップ画像とし該クロップ画像が所定サイズの印刷媒体に配置された状態が表示されるよう前記表示手段を制御し、その後ユーザが前記印刷指示ボタンを選択したときに前記表示手段に表示されたクロップ画像が前記印刷媒体に印刷されるよう前記印刷機構を制御するとしてもよい。こうすれば、クロップ画像の印刷を容易に行うことができる。なお、印刷指示ボタンは、印刷指示のための専用ボタンであってもよいし、印刷機能を割り当てることが可能な汎用ボタンであってもよい。
【００１５】
この態様を採用した本発明の画像処理装置は、更に、ユーザが前記クロップ画像の操作を指示可能なクロップ画像操作入力手段を備え、前記制御手段は、前記クロップ画像が所定サイズの印刷媒体に配置された状態が前記表示手段に表示されているときに、ユーザが前記クロップ画像操作入力手段を介して前記クロップ画像の操作を指示したときには、該操作を反映したクロップ画像が前記印刷媒体に配置された状態が表示されるよう前記表示手段を制御するとしてもよい。こうすれば、クロップ画像を編集したうえで印刷媒体の任意の位置に配置できるため、ユーザは用途に応じた多様な印刷ができる。
【００１６】
上述した印刷機構と印刷指示ボタンとを備えた本発明の画像処理装置において、前記制御手段は、前記表示手段に前記クロップ画像が表示されている状態で、ユーザが前記４方向ボタンのいずれかを１つ選択したときには、該選択されたボタンに対応した方向に前記クロップ画像が移動するよう前記表示手段を制御し、ユーザが前記４方向ボタンを２つ又はそれ以上同時に選択したときには、該同時に選択されたボタンの組み合わせに基づいて前記クロップ画像の大きさ又は向きが変わるよう前記表示手段を制御するとしてもよい。こうすれば、４方向ボタンを利用してクロップ画像の移動や大きさを簡単に変更することができる。
【００１７】
このとき、前記制御手段は、前記表示手段に前記クロップ画像が表示されている状態で、ユーザが前記４方向ボタンの上方向ボタンと下方向ボタンとを同時に選択したときには、前記クロップ画像の横の長さはそのままで縦の長さが上下両側に広がるよう前記表示手段を制御し、ユーザが前記４方向ボタンの左方向ボタンと右方向ボタンとを同時に選択したときには、前記クロップ画像の縦の長さはそのままで横の長さが左右両側に広がるよう前記表示手段を制御するとしてもよい。こうすれば、クロップ画像を上下に操作したいときには上方向ボタンと下方向ボタンとを同時に選択し、クロップ画像を左右に操作したいときには左方向ボタンと右方向ボタンとを同時に選択すればよいため、ユーザにとって直感的に操作することができる。
【００１８】
また、前記制御手段は、前記表示手段に前記クロップ画像が表示されている状態で、ユーザが前記４方向ボタンの右方向ボタンと上方向ボタンとを同時に選択したときには、前記クロップ画像の左下隅及び右上隅のいずれか一方を固定し縦横比を保ったままもう一方の隅が右上方向に移動して前記クロップ画像が拡大又は縮小するよう前記表示手段を制御し、ユーザが前記４方向ボタンの右方向ボタンと下方向ボタンとを同時に選択したときには、前記クロップ画像の左上隅及び右下隅のいずれか一方を固定し縦横比を保ったままもう一方の隅が右下方向に移動して前記クロップ画像が拡大又は縮小するよう前記表示手段を制御し、ユーザが前記４方向ボタンの左方向ボタンと上方向ボタンとを同時に選択したときには、前記クロップ画像の右下隅及び左上隅のいずれか一方を固定し縦横比を保ったままもう一方の隅が左上方向に移動して前記クロップ画像が拡大又は縮小するよう前記表示手段を制御し、ユーザが前記４方向ボタンの左方向ボタンと下方向ボタンとを同時に選択したときには、前記クロップ画像の右上隅及び左下隅のいずれか一方を固定し縦横比を保ったままもう一方の隅が左下方向に移動して前記クロップ画像が拡大又は縮小するよう前記表示手段を制御するとしてもよい。こうすれば、例えば右方向と上方向のボタンを同時に選択するとクロップ画像の右上隅を摘んで右上方向に移動して拡大したり左下隅を摘んで右上方向に移動して縮小することが可能になるというように、４方向ボタンのうち同時に選択された２つのボタンが対応づけられている方向によってどの隅を摘んで拡大又は縮小するかが決まる。このため、ユーザは画像枠のどの隅を摘んで操作するかを直感的に理解することができる。
【００１９】
また、前記制御手段は、前記表示手段に前記クロップ画像が表示されている状態で、ユーザが前記４方向ボタンの右方向ボタンと上方向ボタンとを同時に選択したときには、前記クロップ画像の左下隅を固定し縦横比を保ったまま右上隅が右上方向に移動して前記クロップ画像が拡大又は縮小するよう前記表示手段を制御し、ユーザが前記４方向ボタンの右方向ボタンと下方向ボタンとを同時に選択したときには、前記クロップ画像の左上隅を固定し縦横比を保ったまま右下隅が右下方向に移動して前記クロップ画像が拡大又は縮小するよう前記表示手段を制御し、ユーザが前記４方向ボタンの左方向ボタンと上方向ボタンとを同時に選択したときには、前記クロップ画像の右下隅を固定し縦横比を保ったまま左上隅が左上方向に移動して前記クロップ画像が拡大又は縮小するよう前記表示手段を制御し、ユーザが前記４方向ボタンの左方向ボタンと下方向ボタンとを同時に選択したときには、前記クロップ画像の右上隅を固定し縦横比を保ったまま左下隅が左下方向に移動して前記クロップ画像が拡大又は縮小するよう前記表示手段を制御するとしてもよい。こうすれば、例えば右方向と上方向のボタンを同時に選択するとクロップ画像の右上隅を摘んで拡大又は縮小することが可能になるというように、４方向ボタンのうち同時に選択された２つのボタンが対応づけられている方向によってどの隅を摘んで拡大又は縮小するかが決まる。このため、ユーザはクロップ画像のどの隅を摘んで操作するかを直感的に理解することができる。
【００２０】
本発明の画像処理装置の制御方法は、
表示手段と、上下左右の４つの方向にそれぞれ対応して設けられた４方向ボタンと、を備えた画像処理装置を、コンピュータ・ソフトウェアにより制御する方法であって、
（ａ）前記表示手段に画像とその画像の一部又は全部を囲むことが可能な画像枠とが表示されている状態で、ユーザが前記４方向ボタンのいずれかを１つ選択したときには、該選択されたボタンに対応した方向に前記画像枠が移動するよう前記表示手段を制御するステップと、
（ｂ）前記表示手段に画像とその画像の一部又は全部を囲むことが可能な画像枠とが表示されている状態で、ユーザが前記４方向ボタンを２つ又はそれ以上同時に選択したときには、該同時に選択されたボタンの組み合わせに基づいて前記画像枠の大きさ又は向きが変わるよう前記表示手段を制御するステップと、
を含むものである。
【００２１】
この画像処理装置の制御方法では、表示手段に画像と画像枠とが表示されている状態で、ユーザが４方向ボタンのいずれかを１つ選択したときには、該選択されたボタンに対応した方向に画像枠が移動し、ユーザが４方向ボタンを２つ又はそれ以上同時に選択したときには、該同時に選択されたボタンの組み合わせに基づいて画像枠の大きさ又は向きが変わる。このように、画像枠の大きさ又は向きを変更する場合には４方向ボタンを２つ又はそれ以上同時に選択すればよいため、４方向ボタンを利用して画像枠を簡単に操作することができる。なお、この画像処理装置の制御方法に、上述したいずれかの画像処理装置の機能を実現するようなステップを追加してもよい。
【００２２】
本発明のプログラムは、１又は複数のコンピュータに、本発明の画像処理装置の制御方法の各ステップを実行させるためのプログラムである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した本発明の画像処理装置の制御方法と同様の効果が得られる。
【発明を実施するための最良の形態】
【００２３】
次に、本発明の実施の形態を図面に基づいて説明する。図１は、本発明の画像処理装置の一実施形態であるフォトプリンタ１０の前面扉１４及びカバー３０を開けた状態の斜視図、図２は、フォトプリンタ１０の電気的構成の概略を示すブロック図である。
【００２４】
本実施形態のフォトプリンタ１０は、プリンタ本体１２の上面に設けられた操作パネル２０と、プリンタ本体１２の上面の奥の一辺に開閉自在に取り付けられ閉状態で操作パネル２０を覆うカバー３０と、プリンタ本体１２に内蔵されたプリント機構５０（図２参照）と、プリンタ本体１２の前面を開閉可能な前面扉１４と、フォトプリンタ１０の全体の制御を司るコントローラ７０（図２参照）とを備えている。
【００２５】
操作パネル２０は、文字や図形、記号などを表示するディスプレイ２２と、このディスプレイ２２の周囲に配置されたボタン群２４とを備えている。ボタン群２４は、図２に示すように、電源のオンオフを行うための電源ボタン２４ａ、印刷機能に関する複数の選択肢が並んだメインメニュー画面（図２参照）を呼び出すためのメニューボタン２４ｂ、操作を途中でキャンセルしたり用紙Ｐへの印刷を途中で中断したりするためのキャンセルボタン２４ｃ、用紙への印刷実行を指示するための印刷ボタン２４ｄ、メモリカードスロット１６に挿入されたメモリカードＭに編集画像等を保存するための保存ボタン２４ｅ、ディスプレイ２２に表示された複数の選択肢の中から所望の選択肢を選択したりカーソルを移動したり画像枠の大きさを変更するときに操作される上下左右の各矢印ボタン２４ｆ〜２４ｉ、この上下左右の各矢印ボタン２４ｆ〜２４ｉの中央に配置され各矢印ボタン２４ｆ〜２４ｉによって選択されている選択肢に決定したことを指示するためのＯＫボタン２４ｊ、ディスプレイ２２に表示されている画像を拡大・縮小するときに操作されるズームボタン２４ｋなどで構成されている。
【００２６】
カバー３０は、プリンタ本体１２の上面を覆うことのできる大きさに成形された樹脂板であり、開状態では操作パネル２０の表面を外部に露出し（図１参照）、閉状態では操作パネル２０を覆う。このカバー３０は、ディスプレイ２２と同じ大きさの窓３２を備えており、カバー３０が閉状態のときにはユーザはこの窓３２を介してディスプレイ２２の表示内容を確認することができる。更に、カバー３０は、開状態のときに操作パネル２０に対して斜め後方に傾斜した状態で保持されるようになっている。このため、開状態のカバー３０の裏面は、用紙をプリント機構５０へ供給するためのトレイとして利用可能である。また、操作パネル２０の奥には、プリント機構５０の給紙口５８が設けられ、この給紙口５８には、ガイド幅が用紙の幅に合うように左右方向にスライド操作される一対の用紙ガイド５９，５９が設けられている。
【００２７】
プリント機構５０は、プリンタ本体１２の内部に配置され、図２に示すように、左右方向にループ状に架け渡されたタイミングベルト５１により駆動されガイド５２に沿って左右に往復動するキャリッジ５３と、このキャリッジ５３に搭載されシアン・マゼンタ・イエロー・ブラック等の各色のインクを個別に収容したインクカートリッジ５４と、各インクカートリッジ５４から供給された各インクに圧力をかけてノズルから用紙に向かってインクを吐出する印刷ヘッド５５と、操作パネル２０に形成された給紙口５８から供給された用紙を排紙トレイである開状態の前面扉１４へ送り出す搬送ローラ５６とを備えている。印刷ヘッド５５は、ここでは圧電素子に電圧をかけることによりこの圧電素子を変形させてインクを加圧する方式を採用しているが、発熱抵抗体（例えばヒータなど）に電圧をかけインクを加熱して発生した気泡によりインクを加圧する方式を採用してもよい。キャリッジ５３は、用紙の左右端や上下端を検出する紙端検出センサ５７を備えている。この紙端検出センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００２８】
前面扉１４は、プリンタ本体１２の前面を開閉するための蓋であり、開状態のときには、プリンタ本体１２の前面から排紙される用紙を受けるための排紙トレイとして機能すると共に、プリンタ本体１２の前面に設けられた各種のメモリカードスロット１６をユーザが利用可能な状態となる。メモリカードスロット１６には、メモリカードＭが差し込まれている。このメモリカードＭには、複数の画像ファイルが記憶されている。
【００２９】
コントローラ７０は、図２に示すように、ＣＰＵ７１を中心とするマイクロプロセッサとして構成されており、各種処理プログラムや各種データなどを記憶したＲＯＭ７２と、一時的にデータを記憶するＲＡＭ７３と、電気的に書き換え可能で電源を切ってもデータは保持されるフラッシュメモリ７４と、プリント機構５０、操作パネル２０やメモリカードスロット１６などとの通信を可能とするインタフェース７５と、ディスプレイ２２に描画すべき画像のデータを格納するグラフィックメモリ７６とを備え、これらはバス７７を介して互いに信号のやり取りが可能なように接続されている。このコントローラ７０は、メモリカードスロット１６に挿入されたメモリカードＭの画像ファイルなどを入力するほか、プリント機構５０の紙端検出センサ５７からの検出信号や操作パネル２０のボタン群２４からの指令信号を入力する。また、コントローラ７０は、メモリカードＭに編集画像などを保存するほか、プリント機構５０の印刷ヘッド５５への制御信号や操作パネルのディスプレイ２２への制御信号を出力する。なお、グラフィックメモリ７６に書き込まれたデータは、所定の周期で所定量ずつ読み出されてディスプレイ２２に表示される。
【００３０】
次に、こうして構成された本実施形態のフォトプリンタ１０の動作について説明する。図３はコントローラ７０により実行されるクロップ印刷処理ルーチンのフローチャートである。このクロップ印刷処理ルーチンは、メモリカードＭに保存された画像ファイルに基づく画像２６がディスプレイ２２に表示された状態でＯＫボタン２４ｊをユーザが押下したとき、ＣＰＵ７１により実行される。
【００３１】
このルーチンが開始されると、コントローラ７０のＣＰＵ７１は、まず、画像２６を切り取るためのクロップ枠２８が画像２６に重畳的に表示されるようディスプレイ２２を制御する（ステップＳ１００）。このクロップ枠２８は四角形の枠であり、上下左右の各辺の外側に三角矢印を有している。続いて、ＣＰＵ７１は、上下左右の矢印ボタン２４ｆ〜２４ｉが押下されたか否かを判定し（ステップＳ１１０）、押下されたときには、これらの矢印ボタン２４ｆ〜２４ｉの押下パターンに基づいてディスプレイ２２を制御してクロップ枠２８を移動したりクロップ枠２８の大きさを変更したりする（ステップＳ１２０）。具体的には、上下左右の矢印ボタン２４ｆ〜２４ｉが１つだけ押下されたときには、そのボタンの矢印の方向に沿ってクロップ枠２８を移動する。すなわち、上矢印ボタン２４ｆが１つだけ押下されたときにはクロップ枠２８を上方向へ移動し、下矢印ボタン２４ｇが１つだけ押下されたときにはクロップ枠２８を下方向へ移動し、左矢印ボタン２４ｈが１つだけ押下されたときにはクロップ枠２８を左方向へ移動し、右矢印ボタン２４ｉが１つだけ押下されたときにはクロップ枠２８を右方向へ移動する。一方、上下左右の矢印ボタン２４ｆ〜２４ｉのうち２つが同時に押下されたときには、下記表１にしたがってクロップ枠２８の大きさが拡大するように表示する。但し、クロップ枠２８が最大サイズまで拡大したあとは、一旦、元のサイズつまり最小サイズに戻し、そこから再び拡大するようにする。図４は、ディスプレイ２２の中央にクロップ枠２８が位置しているときに上矢印ボタン２４ｆと下矢印ボタン２４ｇとが同時に押下されたときのクロップ枠２８の変化の一例を示し、図５は、左矢印ボタン２４ｈと右矢印ボタン２４ｉとが同時に押下されたときのクロップ枠２８の変化の一例を示す。また、図６は、ディスプレイ２２の左上にクロップ枠２８が位置しているときに右矢印ボタン２４ｉと下矢印ボタン２４ｇとが同時に押下されたときのクロップ枠２８の変化の一例を示す。
【００３２】
【表１】
2008131502.tif 000003
【００３３】
このようなステップＳ１２０の処理のあと、ＣＰＵ７１は、「この範囲を切り取り印刷しますか？」というメッセージが表示されるようディスプレイ２２を制御する（ステップＳ１３０）。このときの様子を図７に示す。そして、ステップＳ１３０のあと又はステップＳ１１０で上下左右の矢印ボタン２４ｆ〜２４ｉが押下されていなかったとき、ＯＫボタン２４ｊかキャンセルボタン２４ｃのいずれが押下されたか否かを判定し（ステップＳ１４０）、キャンセルボタン２４ｃが押下されたときには、再びステップＳ１１０へ戻る。一方、ステップＳ１４０でＯＫボタン２４ｊが押下されたときには、ユーザが現在の位置及び大きさのクロップ枠２８でもって画像２６を切り取って印刷する意思があるとみなし、用紙設定を行う（ステップＳ１５０）。図８は、用紙サイズ選択画面の一例を示す説明図である。用紙設定では、図８に示すように、このフォトプリンタ１０に給紙可能な複数の用紙サイズが一覧表示されるため、この中からユーザが上矢印ボタン２４ｆ又は下矢印ボタン２４ｇを押下して所望の用紙サイズにカーソルを合わせたあとＯＫボタン２４ｊを押下することにより、用紙を選択設定する。なお、図８では、カーソルは網掛けにより表示した。続いて、ＣＰＵ７１は、画像２６のうちクロップ枠２８によって切り取られた範囲（クロップ画像という）を選択設定された用紙の外縁を表す用紙枠２９の中に配置した様子が表示されるようディスプレイ２２を制御し（ステップＳ１６０）、操作パネル２０のボタン群２４が操作されるのにしたがってディスプレイ２２の表示画面を更新する（ステップＳ１７０）。図９は、クロップ画像２７を用紙枠２９の中に配置したときの表示の一例を示す説明図である。クロップ画像２７は、図９のディスプレイ２２の下方に表示された説明欄のとおり、メニューボタン２４ｂが押下されるごとに所定角度（例えば９０°）だけ右又は左方向へ回転し、ズームボタン２４ｋが押下されるごとに予め決められた拡大倍率（例えば１２０％，１４０％，１６０％，１８０％，２００％）にしたがって拡大し、上下左右の各矢印ボタン２４ｆ〜２４ｉが押下されるごとに押下されたボタンに対応する方向へ移動し、キャンセルボタン２４ｃが押下されると一つ前の画像に戻る。なお、ズームボタン２４ｋを押下して最大倍率に達したあとは最小サイズに一旦戻る。こうすることにより、一つのボタンで拡大と縮小が可能となる。
【００３４】
続いて、ＣＰＵ７１は、印刷指示がされたか否かをＯＫボタン２４ｊが押下されたか否かにより判定し（ステップＳ１８０）、印刷指示がなされていないときには再びステップＳ１７０に戻る。一方、ステップＳ１８０で印刷指示がなされたときつまりＯＫボタン２４ｊが押下されたときには、そのときのクロップ画像２７の用紙枠２９内での位置及び大きさで確定され、そのときの表示画面がそのまま印刷されるようプリント機構５０を制御し（ステップＳ１９０）、印刷終了後に本ルーチンを終了する。なお、ＯＫボタン２４ｊの代わりに印刷ボタン２４ｄが押下されたときも同様の処理が行われる。
【００３５】
ここで、本実施形態の構成要素と本発明の構成要素との対応関係を明らかにする。本実施形態のディスプレイ２２が本発明の表示手段に相当し、上下左右の矢印ボタン２４ｆ〜２４ｉが４方向ボタンに相当し、コントローラ７０が制御手段に相当する。また、プリント機構５０がプリント機構に相当し、ステップＳ１８０でのＯＫボタン２４ｊ又は印刷ボタン２４ｄが印刷指示ボタンに相当し、ボタン群２４がクロップ画像操作入力手段に相当する。なお、本実施形態では、フォトプリンタ１０の動作を説明することにより本発明の画像処理装置の制御方法の一例も明らかにしている。
【００３６】
以上詳述した本実施形態のフォトプリンタ１０によれば、クロップ枠２８の大きさを変更する場合には上下左右の矢印ボタン２４ｆ〜２４ｉを２つ同時に選択すればよいため、これらの矢印ボタン２４ｆ〜２４ｉを利用してクロップ枠２８を簡単に操作することができる。具体的には、クロップ枠２８を上下に操作したいときには上矢印ボタン２４ｆと下矢印ボタン２４ｇとを同時に選択し、左右に操作したいときには左矢印ボタン２４ｈと右矢印ボタン２４ｉとを同時に選択すればよいため、ユーザにとって直感的に操作することができる。また、例えば右矢印ボタン２４ｉと上矢印ボタン２４ｆとを同時に選択するとクロップ枠２８の右上隅を摘んで拡大することが可能になるというように、上下左右の矢印ボタン２４ｆ〜２４ｉのうち同時に選択された２つのボタンが対応づけられている方向によってどの隅を摘んで拡大又は縮小するかが決まるため、ユーザはクロップ枠２８のどの隅を摘んで操作するかを直感的に理解することができる。
【００３７】
また、画像２６のうちクロップ枠２８によって切り取られたクロップ画像２７の印刷を容易に行うことができる。特に、図９に示すように、用紙枠２９の中にクロップ画像２７を配置した状態でクロップ画像２７を編集したり、クロップ画像２７を任意の位置に配置し直したりすることができるため、ユーザは用途に応じた多様な印刷ができる。
【００３８】
なお、本発明は上述した実施形態に何ら限定されることはなく、本発明の技術的範囲に属する限り種々の態様で実施し得ることはいうまでもない。
【００３９】
例えば、上述した実施形態では、図９に示すように１つのクロップ画像２７を用紙枠２９の中に配置するようにしたが、複数のクロップ画像を用紙枠２９の中に配置してもよい。例えば、図３のステップＳ１８０で印刷指示がなかったとき、ユーザに他の画像を配置することを希望するか否かを問うメッセージが表示されるようディスプレイ２２を制御し、他の画像を配置することを希望するときには、メモリカードＭから所望の画像ファイルをユーザに選択させたあと、再びステップＳ１００に戻ってクロップ枠をその画像に重畳的に表示してもよい。こうすれば、複数枚の画像からクロップ枠を利用してクロップ画像を作成し、それらを１枚の用紙に印刷することができる。
【００４０】
上述した実施形態では、上下左右の各矢印ボタン２４ｆ〜２４ｉのうち１つだけ押下された場合と２つが同時に押下された場合について説明したが、３つが同時に押下された場合や４つが同時に押下された場合にもクロップ枠２８が操作されるようにしてもよい。例えば、矢印ボタン２４ｆ〜２４ｉの３つが同時に押下されるごとに、クロップ枠２８が所定角度（例えば５°とか１０°）ずつ回転するようにしてもよい。このとき、回転方向は時計方向でもよいし反時計方向でもよい。
【００４１】
上述した実施形態では、２つ同時に押下されたボタンと処理方法との対応関係を表１のように定めたが、表２のように定めてもよい。この表２によれば、例えば、右矢印ボタン２４ｉと上矢印ボタン２４ｆとが同時に押下されると、クロップ枠２８は右上隅を摘んで縮小される。この場合、最小サイズに達したあとなおも両ボタン２４ｉ，２４ｆが同時に押下されたときには、いったん最大サイズに変更し、その後再び右上隅を摘んで縮小していってもよい。この点は、他のボタンを同時に選択した場合についても同様である。
【００４２】
【表２】
2008131502.tif 000004
【００４３】
上述した実施形態では、クロップ画像２７の拡大縮小倍率をズームボタン２４ｋにより変更するようにしたが、これに代えて又は加えて、上下左右の矢印ボタン２４ｆ〜２４ｉのうちのいずれか２つを同時に押下することによりクロップ画像２７の拡大縮小倍率を変更するようにしてもよい。同時に押下されたボタンと処理方法との対応関係を表３に示す。また、図９のクロップ画像２７がディスプレイ２２に表示されている状態で、左矢印ボタン２４ｈと右矢印ボタン２４ｉとが同時に押下されるとクロップ画像２７が左右方向に広がるが、このときの様子を図１０に示す。こうすれば、上下左右の矢印ボタン２４ｆ〜２４ｉを利用してクロップ画像２７の移動や大きさの変更を簡単に行うことができる。また、右矢印ボタン２４ｉと上矢印ボタン２４ｆとを同時に押下するとクロップ画像２７の右上隅を摘んで拡大することが可能になるというように、これらの矢印ボタン２４ｆ〜２４ｉのうち同時に選択された２つのボタンが対応づけられている方向によってどの隅を摘んで拡大するかが決まる。このため、ユーザはクロップ画像のどの隅を摘んで操作するかを直感的に理解することができる。なお、表３ではクロップ画像２７を広げたり拡大したりしたが、クロップ画像２７を狭めたり縮小したりしてもよい（表２参照）。
【００４４】
【表３】
2008131502.tif 000005
【００４５】
上述した実施形態において、ユーザが右矢印ボタン２４ｉと上矢印ボタン２４ｆとを同時に選択したときには、クロップ枠２８の右上隅を固定し縦横比を保ったまま左下隅が右上方向に移動してクロップ枠２８が縮小するようディスプレイ２２を制御し、ユーザが右矢印ボタン２４ｉと下矢印ボタン２４ｇとを同時に選択したときには、クロップ枠２８の右下隅を固定し縦横比を保ったまま左上隅が右下方向に移動してクロップ枠２８が縮小するようディスプレイ２２を制御し、ユーザが左矢印ボタン２４ｈと上矢印ボタン２４ｆとを同時に選択したときには、クロップ枠２８の左上隅を固定し縦横比を保ったまま右下隅が左上方向に移動してクロップ枠２８が縮小するようディスプレイ２２を制御し、ユーザが左矢印ボタン２４ｈと下矢印ボタン２４ｇとを同時に選択したときには、クロップ枠２８の左下隅を固定し縦横比を保ったまま右上隅が左下方向に移動してクロップ枠２８が縮小するようディスプレイ２２を制御するとしてもよい。なお、クロップ枠２８が最小サイズに達したあと、なお同じボタン操作がなされたときには最大サイズに拡大されるものとする。この場合も、ユーザはクロップ枠２８のどの隅を摘んで操作するかを直感的に理解することができる。なお、クロップ画像２７についても、このクロップ枠２８と同様に操作されるようにしてもよい。
【００４６】
上述した実施形態では、画像処理装置としてインクジェット方式のフォトプリンタ１０を例示したが、電子写真方式やドットインパクト方式などのプリンタに本発明を適用してもよいし、プリンタのほかにスキャナなどの機能を併せ持つ複合機に本発明を適用してもよいし、デジタルカメラやビデオカメラなどに本発明を適用してもよい。あるいは、画像処理用や写真加工用のソフトウェアに本発明を適用してもよい。
【００４７】
上述した実施形態では、メモリカードＭに記憶された画像ファイルを利用してクロップ印刷処理ルーチンを実行したが、フォトプリンタ１０に接続された外部機器（例えばデジタルカメラや携帯電話、ＣＤ／ＤＶＤドライブ装置など）に記憶された画像ファイルを利用してクロップ印刷処理ルーチンを実行してもよいし、フォトプリンタ１０にネットワーク経由で配信されてきた画像ファイルをフラッシュメモリ７４に保存しその画像ファイルを利用してクロップ印刷処理ルーチンを実行してもよい。
【図面の簡単な説明】
【００４８】
【図１】フォトプリンタの前面扉及びカバーを開けた状態の斜視図。
【図２】フォトプリンタの電気的構成の概略を示すブロック図。
【図３】クロップ印刷処理ルーチンのフローチャート。
【図４】上と下の矢印ボタンが同時に押下されたときのクロップ枠の説明図。
【図５】左と右の矢印ボタンが同時に押下されたときのクロップ枠の説明図。
【図６】右と下の矢印ボタンが同時に押下されたときのクロップ枠の説明図。
【図７】メッセージが表示された画面の説明図。
【図８】用紙サイズ選択画面の一例を示す説明図。
【図９】クロップ画像を用紙上に配置したときの表示の一例を示す説明図。
【図１０】クロップ画像が左右方向に広がるときの様子を示す説明図。
【符号の説明】
【００４９】
１０  フォトプリンタ、１２  プリンタ本体、１４  前面扉、１６  メモリカードスロット、２０  操作パネル、２２  ディスプレイ、２４  ボタン群、２４ａ  電源ボタン、２４ｂ  メニューボタン、２４ｃ  キャンセルボタン、２４ｄ  印刷ボタン、２４ｅ  保存ボタン、２４ｆ  上矢印ボタン、２４ｇ  下矢印ボタン、２４ｈ  左矢印ボタン、２４ｉ  右矢印ボタン、２４ｊ  ＯＫボタン、２４ｋ  ズームボタン、２６  画像、２７  クロップ画像、２８  クロップ枠、２９  用紙枠、３０  カバー、３２  窓、５０  プリント機構、５１  タイミングベルト、５２  ガイド、５３  キャリッジ、５４  インクカートリッジ、５５  印刷ヘッド、５６  搬送ローラ、５７  紙端検出センサ、５８  給紙口、５９  用紙ガイド、７０  コントローラ、７１  ＣＰＵ、７２  ＲＯＭ、７３  ＲＡＭ、７４  フラッシュメモリ、７５  インタフェース、７６  グラフィックメモリ、７７  バス。
【図１】
2008131502.tif 000006
【図２】
2008131502.tif 000007
【図３】
2008131502.tif 000008
【図４】
2008131502.tif 000009
【図５】
2008131502.tif 000010
【図６】
2008131502.tif 000011
【図７】
2008131502.tif 000012
【図８】
2008131502.tif 000013
【図９】
2008131502.tif 000014
【図１０】
2008131502.tif 000015